(57)【要約】【課題】ユーザが快適に使用することのできる動物用トイレを提供する。【解決手段】動物用トイレ１は、排泄物処理材が敷設される処理部１０，２０、及び芳香剤が収容される香り部３０を備えている。香り部３０は、処理部１０，２０と区画されて設けられている。【選択図】図１
2014113091.tif 000002
【特許請求の範囲】
【請求項１】
排泄物処理材が敷設される処理部と、
前記処理部と区画されて設けられ、芳香剤が収容される香り部と、
を備えることを特徴とする動物用トイレ。
【請求項２】
請求項１に記載の動物用トイレにおいて、
前記処理部は、底面及び側面を有しており、
前記処理部の前記側面は、前記香り部に収容される前記芳香剤からの芳香を通過させる内部通気孔を有する動物用トイレ。  
【請求項３】
請求項１又は２に記載の動物用トイレにおいて、
前記香り部と当該動物用トイレの外部とを隔てる隔離面を備え、
前記隔離面は、前記香り部に収容される前記芳香剤からの芳香を通過させる外部通気孔を有する動物用トイレ。
【請求項４】
請求項１乃至３の何れかに記載の動物用トイレにおいて、
前記処理部及び前記香り部を収容する本体部を備え、
前記処理部及び前記香り部は、前記本体部から引出可能に設けられている動物用トイレ。
【請求項５】
請求項１乃至４の何れかに記載の動物用トイレにおいて、
尿を通過させる通水孔を有する仕切板を備え、
前記処理部は、前記仕切板の上側に位置する第１の処理部と、前記仕切板の下側に位置する第２の処理部とを有する動物用トイレ。
【請求項６】
請求項５に記載の動物用トイレにおいて、
前記香り部は、前記第１の処理部と連通している動物用トイレ。
【発明の詳細な説明】
【技術分野】
【０００１】
本発明は、動物用トイレに関する。
【背景技術】
【０００２】
従来の動物用トイレとしては、例えば特許文献１に記載されたものがある。同文献に記載の動物用トイレは、上部空間と下部空間とに区画されている。上部空間には粒状物が敷設され、下部空間には吸液シートが敷設されている。上部空間の底面には、複数の開口が形成されている。上部空間の粒状物に吸収されなかった尿は、上記開口を通じて、下部空間に落下する。下部空間に落下した尿は、吸液シートに吸収される。
【特許文献１】特開２００９−１１１８１号公報
【発明の概要】
【発明が解決しようとする課題】
【０００３】
しかしながら、この動物用トイレにおいては、動物が排泄した後の粒状物や吸液シートから悪臭が発生し、その悪臭がトイレの外部空間に放出されるという問題がある。動物用トイレは屋内に設置されるのが通常であるため、このような悪臭の放出は、ユーザ（動物の飼い主等）に対して不快感を与えるものである。
【０００４】
本発明は、上記課題に鑑みてなされたものであり、ユーザが快適に使用することのできる動物用トイレを提供することを目的とする。
【課題を解決するための手段】
【０００５】
本発明による動物用トイレは、排泄物処理材が敷設される処理部と、上記処理部と区画されて設けられ、芳香剤が収容される香り部と、を備えることを特徴とする。
【０００６】
この動物用トイレにおいては、芳香剤が収容される香り部が設けられている。この香り部に芳香剤を配設しておくことにより、トイレの外部空間に芳香を漂わせることができる。これにより、動物の排泄後に発生した悪臭がトイレの外部空間に放出されてしまった場合であっても、ユーザの不快感を緩和することができる。
【発明の効果】
【０００７】
本発明によれば、ユーザが快適に使用することのできる動物用トイレが実現される。
【図面の簡単な説明】
【０００８】
【図１】本発明による動物用トイレの一実施形態を示す斜視図である。
【図２】図１の動物用トイレのII−II線に沿った断面図である。
【発明を実施するための形態】
【０００９】
以下、図面を参照しつつ、本発明の実施形態について詳細に説明する。なお、図面の説明においては、同一要素には同一符号を付し、重複する説明を省略する。
［構成］
【００１０】
図１は、本発明による動物用トイレの一実施形態を示す斜視図である。図２は、図１のII−II線に沿った断面図である。動物用トイレ１は、猫や犬等の動物が排泄時に用いるトイレであって、排泄物処理材が敷設される処理部１０，２０、及び芳香剤が収容される香り部３０を備えている。
【００１１】
図２は、処理部１０，２０にそれぞれ粒状の排泄物処理材５０，６０が敷設されるとともに、香り部３０に芳香剤７０が収容された状態を示している。また、同図は、処理部１０，２０及び香り部３０が後述する本体部４０に収容された状態を示している。
【００１２】
処理部１０（第１の処理部）は、仕切板１２を有している。仕切板１２は、処理部１０の底面を構成している。仕切板１２は、尿を通過させる通水孔１２ａを有する。本実施形態において仕切板１２は、簀子状をしている。すなわち、仕切板１２には、格子状に並んだ多数の通水孔１２ａが存在する。各通水孔１２ａは、平面視で円形をしている。各通水孔１２ａは、排泄物処理材５０を通過させない程度の大きさをしている。
【００１３】
処理部１０は、この底面（仕切板１２）に加えて、側面１４を有する。処理部１０は、底面と４つの側面１４とからなる略直方体の形状をしている。側面１４の１つには、取手１６が取り付けられている。
【００１４】
一対の側面１４（取手１６が取り付けられた面と交差する面）は、内部通気孔１４ａを有する。内部通気孔１４ａは、香り部３０に収容される芳香剤７０からの芳香を通過させる。本実施形態において側面１４には、格子状に並んだ多数の内部通気孔１４ａが形成されている。各内部通気孔１４ａは、平面視で円形をしている。各内部通気孔１４ａは、排泄物処理材５０及び芳香剤７０の何れをも通過させない程度の大きさをしている。
【００１５】
処理部２０（第２の処理部）は、仕切板１２の下側に位置しており、その上側に位置する処理部１０と共に動物用トイレ１における処理部を構成している。処理部２０は、通水孔１２ａを通過した尿を受ける。この処理部２０は、底面２２と４つの側面２４とからなる直方体の形状をしている。側面２４の１つには、取手２６が取り付けられている。
【００１６】
香り部３０は、底面３２、４つの側面３４、及び上面３８からなる直方体の形状をしている。本実施形態においては、２つの香り部３０が設けられている。これらの香り部３０は、処理部１０の両側に設置される。各香り部３０において、側面３４の１つには、取手３６が取り付けられている。
【００１７】
一対の側面３４（取手３６が取り付けられた面と交差する面）は、通気孔３４ａを有する。通気孔３４ａは、香り部３０に収容される芳香剤７０からの芳香を通過させる。処理部１０側の側面３４においては、内部通気孔１４ａに対応する位置に、通気孔３４ａが形成されている。各通気孔３４ａは、排泄物処理材５０及び芳香剤７０の何れをも通過させない程度の大きさをしている。
【００１８】
上面３８は、開閉可能に設けられており、香り部３０の蓋として機能する。すなわち、上面３８を開けることにより、香り部３０内に芳香剤７０を出し入れすることができる。
【００１９】
処理部１０，２０及び香り部３０は、本体部４０に収容される。本体部４０は、底面４２及び４つの側面４４を有する。側面４４の１つには、開口部４４ａ，４４ｂが形成されている。これらの開口部４４ａ，４４ｂは、本体部４０の高さ方向に沿って配列されている。
【００２０】
開口部４４ａは、開口部４４ｂよりも高い位置に形成されている。この開口部４４ａを通じて、処理部１０及び香り部３０を本体部４０に出し入れすることが可能である。同様に、開口部４４ｂを通じて、処理部２０を本体部４０に出し入れすることが可能である。すなわち、処理部１０，２０及び香り部３０は、本体部４０から引出可能に設けられている。
【００２１】
一対の側面４４（開口部４４ａ，４４ｂが形成された面と交差する面）は、外部通気孔４４ｃを有する。外部通気孔４４ｃは、香り部３０に収容される芳香剤７０からの芳香を通過させる。上述の通気孔３４ａは、上記側面４４側の側面３４において、外部通気孔４４ｃに対応する位置に形成されている。各外部通気孔４４ｃは、排泄物処理材５０及び芳香剤７０の何れをも通過させない程度の大きさをしている。外部通気孔４４ｃが形成された、これらの側面４４は、香り部３０と動物用トイレ１の外部とを隔てる隔離面である。
【００２２】
図２に示すように、本体部４０の一対の側面４４（開口部４４ａ，４４ｂが形成された面と交差する面）の内側には、処理部１０，２０及び香り部３０の挿入方向に沿って延在する支持部４５が形成されている。支持部４５は、開口部４４ａの底辺と略同じ高さに形成されており、本体部４０内に収容された処理部１０及び香り部３０を支持する。
【００２３】
支持部４５の上面には、処理部１０，２０及び香り部３０の挿入方向に沿って延在する突条４５ａが形成されている。この突条４５ａによって、処理部１０及び香り部３０の位置決めがなされる。具体的には、突条４５ａと側面４４との間に香り部３０が配置されるとともに、２つの突条４５ａの間に処理部１０が配置される。
【００２４】
また、処理部１０の一対の側面１４（取手１６が取り付けられた面と交差する面）における底面付近は、突条４５ａと嵌合するように、窪んだ形状をしている。これにより、処理部１０と香り部３０とは、本体部４０内において互いに略隙間なく配置されている。
【００２５】
香り部３０は、処理部１０，２０と区画されて設けられている。ただし、上述のとおり側面１４及び側面３４にはそれぞれ内部通気孔１４ａ及び通気孔３４ａが形成されており、これらの内部通気孔１４ａ及び通気孔３４ａを通じて、香り部３０は処理部１０と連通している。同様に、香り部３０は、外部通気孔４４ｃ及び通気孔３４ａを通じて、動物用トイレ１の外部と連通している。
【００２６】
処理部１０には、通水孔１２ａを覆うように排泄物処理材５０が敷設されている。排泄物処理材５０は、透水性を有しており、水分を殆ど吸収しない。処理部２０には、排泄物処理材６０が敷設されている。排泄物処理材６０は、吸水性を有する。これらの排泄物処理材５０，６０は、何れも抗菌作用及び消臭作用を有することが好ましい。
【００２７】
排泄物処理材６０は、ポリマー等の接着性材料を含有している。本実施形態において接着性材料の含有率は、排泄物処理材６０の１重量％以上５重量％以下（好ましくは３重量％以上５重量％以下）である。これにより、排泄物処理材６０は、弱いながらも固まり性を有する。すなわち、吸水した複数の排泄物処理材６０は、接着性材料の作用により互いに付着し、塊状化する。
【００２８】
排泄物処理材６０は、複層構造であってもよい。具体的には、排泄物処理材６０は、粒状芯部と、それを覆う被覆層部とを備えた構造であってもよい。この場合、接着性材料は、被覆層部に含有されることが好ましい。
［作用効果］
【００２９】
動物用トイレ１においては、芳香剤７０が収容される香り部３０が設けられている。この香り部３０に芳香剤７０を配設しておくことにより、動物用トイレ１の外部空間に芳香を漂わせることができる。これにより、動物の排泄後に発生した悪臭が動物用トイレ１の外部空間に放出されてしまった場合であっても、悪臭が芳香によってマスキングされるため、ユーザの不快感を緩和することができる。したがって、本実施形態においては、ユーザが快適に使用することのできる動物用トイレ１が実現されている。
【００３０】
処理部１０の側面１４は、内部通気孔１４ａを有している。これにより、香り部３０内の芳香剤７０からの芳香が、処理部１０に放出され易くなる。このため、処理部１０内で悪臭が発生した場合や、処理部２０内で発生した悪臭が通水孔１２ａを通じて処理部１０に放出された場合に、かかる悪臭を効率良くマスキングすることができる。
【００３１】
本体部４０の側面４４は、外部通気孔４４ｃを有している。これにより、香り部３０内の芳香剤７０からの芳香が、動物用トイレ１の外部空間に放出され易くなる。このため、芳香がユーザに届き易くなり、ユーザの不快感がより効果的に緩和される。
【００３２】
処理部１０，２０が、本体部４０から引出可能に設けられている。このため、排泄物処理材５０，６０の交換を容易に行うことができるとともに、処理部１０，２０の清掃も容易に行うことができる。同様に、香り部３０も、本体部４０から引出可能に設けられている。このため、芳香剤７０の補充を容易に行うことができるとともに、香り部３０の清掃も容易に行うことができる。
【００３３】
動物用トイレ１における処理部は、処理部１０と処理部２０とからなる二段構造を有している。動物の排尿は、仕切板１２の通水孔１２ａを通じて、処理部１０から処理部２０に落下する。ここで、尿が落下した処理部２０内から悪臭が発生した場合であっても、仕切板１２により、処理部２０の外部への悪臭の放出が抑制される。
【００３４】
香り部３０は、処理部１０及び処理部２０のうち処理部１０と連通している。処理部１０は、動物用トイレ１において最上段に位置し、動物用トイレ１の外部空間に開放されている。それゆえ、香り部３０が処理部２０と連通している場合に比して、芳香剤７０からの芳香が動物用トイレ１の外部空間に放出され易くなる。
【００３５】
香り部３０には、蓋として機能する上面３８が設けられている。これにより、動物が香り部３０内の芳香剤７０を誤って食べてしまうのを防ぐことができる。
【００３６】
処理部１０に、通水孔１２ａを覆うように排泄物処理材５０が敷設されている。動物が排泄した尿は、排泄物処理材５０を透過し、通水孔１２ａを通じて処理部２０に落下する。このように排泄物処理材５０が敷設されていることにより、通水孔１２ａを通じて処理部２０から処理部１０に悪臭が漏出するのを遮断することができる。
【００３７】
処理部２０に、排泄物処理材６０が敷設されている。通水孔１２ａを通じて処理部２０に落下した尿は、この排泄物処理材６０により吸収される。これにより、処理部２０内に尿が溜まりにくくなるため、処理部２０内からの悪臭の発生が抑制される。
【００３８】
排泄物処理材６０が抗菌作用及び消臭作用を有する場合、尿を吸収した排泄物処理材６０からの悪臭の発生を抑制することができる。排泄物処理材５０が抗菌作用及び消臭作用を有する場合、通水孔１２ａを通じて処理部２０から処理部１０へ悪臭が漏出するのをより効果的に防ぐことができる。
【００３９】
排泄物処理材６０が接着性材料を含有していることにより、尿を吸収した排泄物処理材６０が塊状化する。このため、処理部２０内に敷設された多数の排泄物処理材６０の中から、使用済みのものだけを容易に取り除くことができる。さらに、排泄物処理材６０における接着性材料の含有量を５重量％以下としている。このように塊状化機能が得られる範囲内で接着性材料の含有量をできるだけ少なくすることにより、比較的高価な接着性材料（ポリマー等）の使用量を減らすことができ、製造コストの低減につながる。
［他の実施形態］
【００４０】
本発明による動物用トイレは、上記実施形態に限定されるものではなく、様々な変形が可能である。例えば、上記実施形態においては、二段構造の上段にのみ香り部３０が設けられた例を示した。しかし、香り部３０は、下段にのみ設けられてもよいし、上段及び下段の双方に設けられてもよい。
【００４１】
上記実施形態においては、香り部３０の両側面３４に通気孔３４ａが設けられた例を示した。しかし、通気孔３４ａは、１つの側面３４にのみ設けられてもよい。また、芳香剤７０からの芳香が香り部３０の外部に放出される構造となっている限り、通気孔３４ａを設けることは必須ではない。
【００４２】
上記実施形態においては、粒状の排泄物処理材５０，６０を例示した。しかし、処理部１０，２０に敷設される排泄物処理材は、シート状であってもよい。
【００４３】
上記実施形態においては、処理部が、処理部１０と処理部２０とからなる二段構造である例を示した。しかし、処理部は、一段構造であってもよいし、三段以上の構造であってもよい。
【符号の説明】
【００４４】
１  動物用トイレ
１０  処理部
１２  仕切板
１２ａ  通水孔
１４  側面
１４ａ  内部通気孔
１６  取手
２０  処理部
２２  底面
２４  側面
２６  取手
３０  香り部
３２  底面
３４  側面
３４ａ  通気孔
３６  取手
３８  上面
４０  本体部
４２  底面
４４  側面
４４ａ  開口部
４４ｂ  開口部
４４ｃ  外部通気孔
４５  支持部
４５ａ  突条
５０  排泄物処理材
６０  排泄物処理材
７０  芳香剤
【図１】
2014113091.tif 000003
【図２】
2014113091.tif 000004